(57)【特許請求の範囲】
【請求項１】
基台のブラシ面から突出する複数の突起を備えた毛穴洗浄用ブラシであって、
前記複数の突起は、一部又は全部が毛束付突起であり、
前記毛束付突起は、前記ブラシ面から突出するエラストマーで構成された基部を有し、該毛束付突起の先端部分に、前記基部から更に突出する毛穴洗浄用毛束を有しており、
前記毛束付突起は、前記先端部分に、エラストマーで構成された複数の先端突起、及び前記毛穴洗浄用毛束を備えており、
前記毛穴洗浄用毛束は、前記先端突起間に存在している、毛穴洗浄用ブラシ。
【請求項２】
前記毛束付突起は、前記基部が扁平な横断面形状を有する毛束付へら状突起であり、前記先端突起及び前記毛穴洗浄用毛束が、前記扁平な横断面形状の長軸方向に並べて形成されている、請求項１に記載の毛穴洗浄用ブラシ。
【請求項３】
基台のブラシ面から突出する複数の突起を備えた毛穴洗浄用ブラシであって、
前記複数の突起は、一部又は全部が毛束付突起であり、
前記毛束付突起は、前記ブラシ面から突出するエラストマーで構成された基部を有し、該毛束付突起の先端部分に、前記基部から更に突出する毛穴洗浄用毛束を有しており、
前記毛束付突起は、前記先端部分に、エラストマーで構成された３つ以上の先端突起、及び前記毛穴洗浄用毛束を備えており、
前記毛穴洗浄用毛束は、前記先端突起に囲まれている、毛穴洗浄用ブラシ。
【請求項４】
前記毛束付突起は、前記基部が円錐台状又は角錐台状である毛束付錐台状突起であり、前記先端部分に、前記先端突起及び前記毛穴洗浄用毛束を備える、請求項３に記載の毛穴洗浄用ブラシ。
【請求項５】
前記ブラシ面から前記先端突起の先端までの高さと、前記ブラシ面から前記毛穴洗浄用毛束の先端までの高さの差が、２ｍｍ以内である、請求項１〜４の何れか１項に記載の毛穴洗浄用ブラシ。
【請求項６】
前記毛穴洗浄用毛束は、前記基部内に一部を配したブリッスル束における、該基部の先端から突出する部分からなる、請求項１〜５の何れか１項に記載の毛穴洗浄用ブラシ。
【請求項７】
前記ブリッスル束は、前記突起の基部を、その高さ方向に貫通しており、該基部から突出して前記毛穴洗浄用毛束を形成する側とは反対側の端部が、前記基台における前記ブラシ面より内側に固定されている、請求項６に記載の毛穴洗浄用ブラシ。
【請求項８】
前記毛穴洗浄用ブラシは、
前記基台の一部又は全部を構成する板状の底盤部と該底盤部と一体成形され該底盤部の一面から突出して前記毛束付突起の前記基部を形成する突起形成部とを有する、エラストマーで構成されたエラストマー成形体を有し、
前記ブリッスル束の、前記毛穴洗浄用毛束を形成する側とは反対側の端部が、前記底盤部の他面側に融着により固定されている、請求項６又は７に記載の毛穴洗浄用ブラシ。
【発明の詳細な説明】
【技術分野】
【０００１】
本発明は、毛穴洗浄用ブラシに関する。
【背景技術】
【０００２】
洗髪や毛髪の手入れを行う際に使用するヘアブラシとして、例えばブラシを構成する刷毛状の突起の先端に球状体を設けたものや、略円錐形の突起を有するもの、或いは異なる太さと長さを備える突起を組み合わせたもの等、種々の形態のものが知られている。また、近年、頭皮を掻く機能や、毛髪を掻く機能の他に、汚れや臭いの原因となる皮脂を除去したり毛穴を洗浄する機能を有すると共に、頭皮や毛穴に対するマッサージ効果を有する合成樹脂や弾性材料からなる太径ブリッスルと毛束状の細径ブリッスルとを組み合わせたマッサージ用ブラシも開発されている（例えば、特許文献１参照）。
【０００３】
さらに、頭皮のマッサージ効果を向上させるべく、基台に立設されて毛髪を掻き分ける複数の突起を、エラストマーや合成ゴム等の柔軟な素材を用いて形成すると共に、突起の先端部分に複数の小突起を設け、これらの小突起を柔軟に屈曲させながら頭皮に対して多点で接触させるようにした頭皮用ブラシも開発されている（例えば、特許文献２参照）。
【０００４】
そのようなブラシとして、本出願人も、主として毛髪を掻き分ける機能を発揮する複数の突起と、主としてマッサージ効果を発揮する複数の突起とを、柔軟なエラストマー樹脂を用いて基台のブラシ面に異なる形状の突起として突設してなり、優れたマッサージ効果が得られると共に、優れた皮脂の除去機能や毛穴の洗浄機能を発揮することのできる頭皮用ブラシを提案している（特許文献３，４参照）。
【先行技術文献】
【特許文献】
【０００５】
【特許文献１】特開２０００−６０６４０号公報
【特許文献２】特開２００５−１６０６８４号公報
【特許文献３】特開２００７−２８２６８１号公報
【特許文献４】特開２００９−２４０７６８号公報
【発明の概要】
【発明が解決しようとする課題】
【０００６】
前述した特許文献１に記載のマッサージ用ブラシにおいては、ブリッスル束からなる毛穴洗浄用毛束が、エラストマーからなる突起と同一のブラシ面から突出している。そのため、ブラシ面の近傍に指が届きにくく、毛穴洗浄用毛束に絡まった抜け毛を手で取り除きづらい場合があった。
また、エラストマーからなる突起のみを有するブラシでは、マッサージ効果と毛穴洗浄効果とが両立した一層優れたブラシを構成することが難しいことがあった。
【０００７】
従って、本発明の目的は、従来技術が有する種々の課題を解決し得る毛穴洗浄用ブラシを提供することにある。
【課題を解決するための手段】
【０００８】
本発明は、基台のブラシ面から突出する複数の突起を備えた毛穴洗浄用ブラシであって、前記複数の突起は、一部又は全部が毛束付突起であり、前記毛束付突起は、前記ブラシ面から突出するエラストマーで構成された基部を有し、該毛束付突起の先端部分に、前記基部から更に突出する毛穴洗浄用毛束を有している、毛穴洗浄用ブラシを提供するものである。
【発明の効果】
【０００９】
本発明の毛穴洗浄用ブラシは、抜け毛が絡まりにくく、また抜け毛を手で取り除き易く、また毛穴の洗浄機能にも優れている。
【図面の簡単な説明】
【００１０】
【図１】図１は、本発明の一実施形態に係る毛穴洗浄用ブラシの斜視図である。
【図２】図２は、図１に示す毛穴洗浄用ブラシのブラシ面を示す平面図である。
【図３】図３は、図２のＩ−Ｉ線断面図（ブラシ面の長軸方向に沿う断面図）である。
【図４】図４は、図２のＩＩ−ＩＩ線に沿う断面（ブラシ面の短軸方向に沿う断面）を把持部の断面を省略して示す断面図である。
【図５】図５（ａ）は、へら状突起の正面図、図５（ｂ）はへら状突起の側面図、図５（ｃ）は、図５（ａ）のＶ−Ｖ線拡大断面図である。
【図６】図６（ａ）は、第１の錐体状突起の拡大斜視図であり、図６（ｂ）は、図６（ａ）のＶＩ−ＶＩ線模式断面図、図６（ｃ）は、第１の錐体状突起の先端部分を示す拡大平面図である。
【図７】図７（ａ）は、第２の錐体状突起の側面図であり、図７（ｂ）は、第２の錐体状突起を先端側から見た拡大平面図である。
【図８】図８（ａ）は、エラストマー成形体に設けた貫通孔に、毛穴洗浄用毛束を形成するブリッスル束を挿入する直前の状態を示す図であり、図８（ｂ）は、貫通孔にブリッスル束を挿入して一端側をエラストマー成形体に融着して固定した状態を示す図である。
【図９】図９は、本発明の他の実施形態に係る毛穴洗浄用ブラシを示す図で、図９（ａ）は、ブラシ面の平面図、図９（ｂ）及び図９（ｃ）は、図９（ａ）のブラシ面に存する突起の斜視図である。
【図１０】図１０は、本発明の更に他の実施形態に係る毛穴洗浄用ブラシを示す図で、図１０（ａ）は、ブラシ面の平面図、図１０（ｂ）及び図１０（ｃ）は、図１０（ａ）のブラシ面に存する突起の斜視図である。
【発明を実施するための形態】
【００１１】
以下、本発明をその好ましい実施形態に基づいて説明する。
本発明の第１実施形態の毛穴洗浄用ブラシ１０は、人の頭部の毛穴洗浄用に適した毛穴洗浄用ブラシであり、図１及び図２に示すように、把持部１１を有する基台１２のブラシ面１３に、何れもエラストマーで構成された、へら状突起１４と、第１の錐体状突起１５と、第２の錐体状突起１６とを各々複数立設することによって構成される。立設とは、立った状態に設けることをいう。
【００１２】
本実施形態の毛穴洗浄用ブラシ１０は、例えば洗髪や毛髪の手入れを行う際に、把持部１１を指の間に挟み込み、ブラシ面１３とは反対側の基台１２の上面に手の平を密着させて、当該上面を覆うようにしながらブラシ１０を把持し、ブラシ面１３に立設した複数種類の突起１４〜１６の先端部分を頭皮に押し当てた状態で、毛髪を掻き分けるようにしつつブラシ１０を動かすことにより、必要に応じて頭皮や毛髪に塗布した洗浄剤、ヘアケア剤、化粧料等の作用と相俟って、皮脂の除去や毛穴の洗浄を効率良く行えるようにすると共に、優れたマッサージ効果が得られるようにするものである。
【００１３】
本実施形態におけるへら状突起１４は、何れも、毛束付へら状突起であり、図５に示すように、ブラシ面１３から突出するエラストマーで構成された基部１４ａを有し、突起１４の先端部分に、基部１４ａから更に突出する毛穴洗浄用毛束１４ｃを有している。また、へら状突起１４は、それぞれの先端部分に、毛穴洗浄用毛束１４ｃと共に、エラストマーで構成された先端突起１４ｂを備えている。また、へら状突起１４は、基部１４ａが扁平な横断面形状を有しており、先端突起１４ｂ及び毛穴洗浄用毛束１４ｃが、前記扁平な横断面形状の長軸方向に並べて形成されている。
【００１４】
毛穴洗浄用毛束１４ｃは、複数本のブリッスルからなる。毛穴洗浄用毛束１４ｃは、人の頭部の毛穴にブリッスルが入り易くし優れた毛穴の洗浄機能が発揮されるようにする観点から、直径ｄ１が３ｍｍ以下であることが好ましく、より好ましくは２ｍｍ以下、更に好ましくは１．５ｍｍ以下である。また、毛髪を掻き分けつつ撓まず頭皮や毛穴に到達し易くなる観点から、毛穴洗浄用毛束１４ｃの直径ｄ１は、０．３ｍｍ以上、より好ましくは０．５ｍｍ以上であることが好ましい。また、毛穴の洗浄機能と毛穴への到達性の両立の観点から、前記直径ｄ１は、好ましくは０．３ｍｍ以上３ｍｍ以下、より好ましくは０．５ｍｍ以上１．５ｍｍ以下である。
【００１５】
毛穴洗浄用毛束１４ｃは、図４及び図８（ｂ）に示すように、基部１４ａ内に一部が配されたブリッスル束１４ｔにおける、該基部１４ａの先端から突出する部分からなる。
個々の毛穴洗浄用毛束１４ｃを構成するブリッスルの本数は、少なくとも３本であり、好ましくは６本以上、より好ましくは１０本以上であり、また、好ましくは５０本以下、より好ましくは３０本以下である。また、ブリッスルの直径は、好ましくは７０μｍ以上４００μｍ以下、より好ましくは１５０μｍ以上２５０μｍ以下である。
毛穴洗浄用毛束１４ｃの直径ｄ１及びブリッスルの直径は、何れも、基部１４ａに近接する根元部において測定する。
【００１６】
なお、本実施形態の毛穴洗浄用毛束１４ｃは、横断面形状が円形状であるが、毛穴洗浄用毛束１４ｃの横断面形状は、円形状に限られず、楕円形、三角形、菱形、多角形など異形断面形状等であっても良い。
毛穴洗浄用毛束１４ｃの直径ｄ１、ブリッスルの直径、先端突起の直径ｄ等の直径は、それぞれの根元部における断面形状が円形の場合は、その直径を意味し、円形以外の場合は、円相当径（横断面の面積と同じ面積を持つ円の直径）を意味する。毛穴洗浄用毛束１４ｃの「横断面の面積」には、ブリッスルどうし間の隙間の面積も含める。
【００１７】
第１の錐体状突起１５は、何れも、毛束付錐台状突起であり、図６に示すように、ブラシ面１３から突出するエラストマーで構成された基部１５ａを有し、突起１５の先端部分に、基部１５ａから更に突出する毛穴洗浄用毛束１５ｃを有している。また、第１の錐体状突起１５は、基部１５ａが円錐台状であると共に、それぞれの先端部分に、エラストマーからなる先端突起１５ｂを備えている。第１の錐体状突起１５は、へら状突起１４と同様に、毛穴洗浄効果とエマッサージ効果を得ることを目的として設けられているが、基部１５ａが円錐台状でへら状突起１４の基部１４ａより変形しにくいため、皮膚により強く押し当てて使用することができる。第１の錐体状突起１５を設けることにより、毛穴洗浄効果及びエマッサージ効果を一層向上させることができる。なお、本願発明の効果を奏する範囲で、円錐台状又は後述の角錐台状は、略円錐台状又は略角錐台状を含む。
第２の錐体状突起１６は、何れも、突起の先端部分に毛束を有しない錐体状突起であり、図７に示すように、ブラシ面１３から突出するエラストマーからなる基部１６ａを有し、先端部分１６ｔが凸曲面状、より詳細には半球状に形成されている。第２の錐体状突起１６は、マッサージ効果を得ることを目的として設けられている。
【００１８】
前記基台１２は、図３にも示すように、底面が楕円形状の装着開口１７ａとして開口し、上面が滑らかな凸曲面となった基台本体１７と、この基台本体１７の装着開口１７ａを閉塞するように嵌め込み固定される基板１８と、基台本体１７と基板１８との間に底盤部１９ａが挟み込まれた状態に固定されるエラストマー成形体１９の一部からなる。
基台本体１７及び基板１８は、例えばポリエチレン、ポリプロピレン等からなるプラスチック製の成形品である。基台本体１７は、例えば長軸の長さが８０〜１００ｍｍ程度、短軸の長さが７０〜９０ｍｍ程度の大きさの平面視楕円形状に形成されている。
基台本体１７には、その内側に、エラストマー成形体１９の底盤部１９ａを装着するための装着部１７ｂが設けられており、装着部１７ｂに、エラストマー成形体１９の底盤部１９ａが配された状態で、装着開口１７ａに基板１８が固定される。また、基台本体１７の上面には、高波状に後方に反った形状で上方に突出する把持部１１が、基台本体１７の前方部分に設けられている。ここでいう、前方及び後方は、把持部１１を指に挟んで基台１２を手に持ったときに、指先側の一端に向かう方向及び手首側の他端に向かう方向である。
【００１９】
前記基板１８は、基台本体１７の装着開口１７ａの開口形状に略一致する平面視楕円形状を有しており、その突状に形成された周端面１８ａを、装着開口１７ａの開口縁部に沿って基台本体１７の内周面に設けられた係止凹溝１７ｃに係合させることにより、基台本体１７に固定される。基板１８には、へら状突起１４及び錐体状突起１５、１６の配設位置に対応させて、楕円突起孔２０及び円形突起孔２１が各々複数形成されている（図２及び図４参照）。基板１８の下面は、基台１２の底面となってブラシ面１３を形成すると共に、ブラシ面１３から、それぞれ複数のへら状突起１４及び錐体状突起１５、１６が突出している。従って、ブラシ面１３も基板１８と同様に、平面視楕円形状を有している。
【００２０】
そして、基板１８は、基台本体１７の装着開口１７ａを覆って嵌め込み固定される。このとき、エラストマー成形体１９の底盤部１９ａから突出して一体成形された複数のへら状突起１４及び複数の錐体状突起１５、１６が、複数の楕円突起孔２０及び複数の円形突起孔２１に各々挿通されている。また、基板１８と、基台本体１７の内側天面部から垂下する支持棒１７ｄ（図３参照）や装着部１７ｂの周縁段差部１７ｅとの間にエラストマー成形体１９の底盤部１９ａが挟み込まれている。これによって、エラストマー成形体１９は、複数のへら状突起１４及び複数の錐体状突起１５、１６を、毛穴洗浄用ブラシ１０のブラシ面１３を構成する基板１８の下面から各々下方に突出させつつ、底盤部１９ａを装着部１７ｂに収容固定された状態で、基台１２に取り付けられることになる。
【００２１】
本実施形態では、エラストマー成形体１９は、基台本体１７の装着開口１７ａと同様の楕円平面形状を有する板状の底盤部１９ａと、底盤部１９ａから一体として突出する、へら状突起１４の基部１４ａ、第１の錐体状突起１５の基部１５ａ、及び第２の錐体状突起１６とからなる。エラストマー成形体１９は、上述のように、底盤部１９ａを装着凹部１７ｂに収容固定した状態で基台本体１７に取り付けられ、基板１８によるブラシ面１３からへら状突起１４及び錐体状突起１５を後述する所望の高さで突出させる。
【００２２】
ここで、エラストマー成形体１９を形成するためのエラストマー樹脂としては、ゴム状弾性を示す高分子であり、天然ゴム（ＮＲ）、ジエン系ゴム、非ジエン系ゴム、熱可塑性エラストマー等を用いることができる。これらの中でも、熱可塑性エラストマーを用いることが、射出成形による成型加工が可能である等の観点から好ましい。
ジエン系ゴムとしては、イソプレンゴム（ＩＲ）、ブタジエンゴム（ＢＲ）、スチレン・ブタジエンゴム（ＳＢＲ）、クロロプレンゴム（ＣＲ）、ニトリルゴム（ＮＢＲ）等が挙げられ、非ジエン系ゴムとしては、ブチルゴム（イソブチエン・イソプレンゴム（ＩＩＲ））、エチレン・プロピレンゴム（ＥＰＭ）、エチレン・プロピレン・ジエンゴム（ＥＰＤＭ）、ウレタンゴム（Ｕ）、シリコーンゴム（Ｑ）等が挙げられる。
熱可塑性エラストマーとしては、ＳＢＳ、ＳＩＳ、ＳＥＢＳ、ＳＥＰＳ等のスチレン系エラストマー（ＴＰＳ）、オレフィン系エラストマー（ＴＰＯ）、エステル系エラストマー（ＴＰＣ）、ウレタン系エラストマー（ＴＰＵ）、アミド系熱可塑性エラストマー（ＴＰＡ）、熱可塑性ゴム架橋（ＴＰＶ）等が挙げられる。
これらのエラストマーは一種を単独で又は２種以上を組み合わせて用いることもできる。
【００２３】
また、エラストマー成形体１９を形成するためのエラストマー樹脂としては、ＡＳＴＭ  Ｄ２２４０に準拠して測定された硬度（ショアＡ硬度）が、好ましくは３０以上であり、より好ましくは４０以上であり、また、好ましくは８０以下であり、より好ましくは７０以下であり、より具体的には、好ましくは３０以上８０以下であり、より好ましくは４０以上７０以下の素材を用いることが好ましい。
〔ショアＡ硬度の測定方法〕
平らな面に置いた試料の平面に、両手で保持したゴム硬度計の加圧面を真上から一定速度で垂直に押し付け、密着後、１秒以内の値を「硬さ」とする。試料の測定位置は試料の端から１２ｍｍ以上内側、測定箇所の間隔は６ｍｍ以上とする。測定に使用する試料は、長さ及び幅をそれぞれ２５ｍｍ以上、厚みを６ｍｍ以上とし、試験環境は温度２３±２度、湿度５０±５％とする。５ヶ所の中央値あるいは平均値を測定値に採用し、ゴム硬度計（株式会社テクロック製、ＧＳ７０９Ｎ  形式Ａ）で５０を示した場合、ショアＡ硬度は５０（「Ａ５０」）である。
【００２４】
エラストマー成形体１９を形成するためのエラストマー樹脂としてこのような素材のものを用いることにより、頭皮を傷つけず、かつ痛くない圧力で、へら状突起１４、第１の錐体状突起１５及び第２の錐体状突起１６を頭皮に押し付けることができる。従って、適度な刺激を与えることが可能となり、優れたマッサージ効果が得られると共に、必要に応じて頭皮や毛髪に塗布した洗浄剤等の作用と相俟って、皮脂の除去や毛穴の洗浄を効率良く行うことが可能になる。なお、毛穴洗浄用ブラシ１０をシャンプーや育毛剤と共に使用する場合には、エラストマー成形体１９は、これらに対する耐薬品性に優れているオレフィン系エラストマーやスチレン系エラストマーを用いて形成することが好ましい。具体的なエラストマー成形体としては、アロン化成株式会社のスチレン系エラストマーである商品名エラストマーＡＲ（前記硬度５５〜６０）等を挙げることができる。
【００２５】
へら状突起１４は、ブラシ面１３に沿った根元部の横断面形状が、例えば長軸の長さが５〜２０ｍｍ程度、短軸の長さが２〜１５ｍｍ程度の大きさの扁平な楕円形状となっている（図２参照）。また、それと共に、図５（ａ），図５（ｂ）にも示すように、略相似の断面形状を保持したまま、先端に向かって僅かに先細りの形状となっているへら状の基部１４ａと、へら状の基部１４ａの先端からさらに上方に突出する３つの先端突起１４ａと、へら状の基部１４ａの先端からさらに上方に突出する２つの毛穴洗浄用毛束１４ｃとからなる。より具体的には、へら状突起１４は、へら状の基部１４ａの先端部分に配置された先端突起１４ｂとして、高さが異なる２以上の先端突起１４ｂを有しており、先端突起１４ｂと毛穴洗浄用毛束１４ｃとは、図５（ｃ）に示すように、扁平な横断面形状の長軸方向Ｘに並べて形成されている。また、毛穴洗浄用毛束１４ｃは、長軸方向Ｘに間隔を置いて形成された２つの先端突起１４ｂ間に形成されている。
【００２６】
へら状突起１４の先端部分に設けられた先端突起１４ｂは、好ましくは先端が凸曲面状に形成された円錐形状を有している。円錐形状は略円錐形状も含む。
へら状突起１４は、ブラシ面１３から先端までの高さｈ１が、好ましくは１０ｍｍ以上、より好ましくは１５ｍｍ以上であり、また、好ましくは３０ｍｍ以下、より好ましくは２５ｍｍ以下である。
先端突起１４ｂ（高さが異なる複数の先端突起を有する場合は最も高さが高い先端突起）は、へら状の基部１４ａの先端からの高さｈ３が、好ましくは２ｍｍ以上、より好ましくは３．５ｍｍ以上、更に好ましくは４ｍｍ以上であり、また好ましくは１５ｍｍ以下、より好ましくは１０ｍｍ以下、更に好ましくは８ｍｍ以下である。
先端突起１４ｂの前記高さｈ３は、へら状突起１４の前記高さｈ１に対して、好ましくは５０％以下、より好ましくは４０％以下、更に好ましくは３５％以下であり、また、好ましくは１５％以上、より好ましくは２０％以上である。
【００２７】
また、毛穴洗浄用毛束１４ｃは、へら状の基部１４ａの先端からの高さｈ４が、好ましくは２ｍｍ以上、より好ましくは３．５ｍｍ以上、更に好ましくは４ｍｍ以上であり、また好ましくは１５ｍｍ以下、より好ましくは１０ｍｍ以下、更に好ましくは８ｍｍ以下である。
毛穴洗浄用毛束１４ｃの前記高さｈ４は、へら状突起１４の前記高さｈ１に対して、好ましくは５０％以下、より好ましくは４０％以下、更に好ましくは３５％以下であり、また、好ましくは１５％以上、より好ましくは２０％以上である。
【００２８】
へら状突起１４の前記高さｈ１は、ブラシ面１３から先端突起１４ｂの先端までの高さと、ブラシ面１３から毛穴洗浄用毛束１４ｃの先端までの高さのうちの高い方の高さである。
ブラシ面１３から先端突起１４ｂの先端までの高さと、ブラシ面１３から毛穴洗浄用毛束１４ｃの先端までの高さは、同じでも異なっていても良く、何れが高い場合であっても両者の差は、好ましくは２．０ｍｍ以内、より好ましくは１．０ｍｍ以内である。
また、毛穴洗浄用毛束１４ｃは、へら状突起１４の扁平な横断面形状の長軸方向Ｘにおいて、先端突起１４ｂ,１４ｂ間に配置されている。長軸方向Ｘにおける先端突起１４ｂ,１４ｂ間は、例えば根元部における間隔ｓ１が０〜５ｍｍ、好ましくは０．３〜２ｍｍであり、頂部における間隔ｓ２が１〜７ｍｍ、好ましくは２〜５ｍｍである。
【００２９】
先端突起１４ｂそれぞれの高さｈ３とそれぞれの根元部における太さ（直径）ｄとの比（ｈ３／ｄ）は、頭皮に押し当てたときに、毛髪を掻き分けつつ頭皮や毛穴に到達し易くなる観点から、好ましくは１以上、より好ましくは１．２以上であり、また好ましくは３．５以下、より好ましくは３以下である。
毛穴洗浄用毛束１４ｃの高さｈ４とその根元部における太さ（直径）ｄ１との比（ｈ４／ｄ１）も、人の頭部の毛穴に入り易くなり、優れた毛穴の洗浄機能が発揮される観点から、好ましくは２．５以上、より好ましくは４以上であり、また好ましくは１６以下、より好ましくは１３以下である。
【００３０】
本実施形態における第１の錐体状突起１５は、ブラシ面１３に沿った根元部の横断面形状が、例えば直径４〜１０ｍｍ程度の大きさの円形となっている（図２参照）。それと共に、図６にも示すように、略相似の断面形状を保持したまま先端に向かって僅かに先細りの形状となっている円錐台状の基部１５ａと、基部１５ａの先端からさらに上方に突出した複数個の先端突起１５ｂ及び複数個の毛穴洗浄用毛束１５ｃとからなる。複数個の先端突起１５ｂは、エラストマーで構成された、基部１５ａと一体成形されている。複数個の毛穴洗浄用毛束１５ｃは、図６（ｂ）に示すように、基部１５ａ内に一部が配されたブリッスル束１５ｔにおける、基部１５ａの先端から突出する先端部分からなる。
【００３１】
第１の錐体状突起１５は、毛穴洗浄用毛束１５ｃとして、図６（ａ）及び図６（ｃ）に示すように、円錐台状の基部１５ａの先端面の中央部に位置する中央毛束１５ｃ’と、基部１５ａ先端面の中央部を囲むように環状に設けられた外周毛束１５ｃ”とを備えている。外周毛束１５ｃ”及び先端突起１５ｂは、基部１５ａ先端面に環状に配置されており、交互に配置されている。
【００３２】
第１の錐体状突起１５は、ブラシ面１３から先端までの高さｈ５が、好ましくは１２ｍｍ以上、より好ましくは１５ｍｍ以上、更に好ましくは１７ｍｍ以上であり、また、好ましくは２８ｍｍ以下、より好ましくは２５ｍｍ以下、更に好ましくは２３ｍｍ以下である。
先端突起１５ｂ（高さが異なる複数の先端突起を有する場合は最も高さが高い先端突起）は、円錐台状の基部１５ａの先端からの高さｈ７が、好ましくは０．５ｍｍ以上、より好ましくは１ｍｍ以上であり、また好ましくは５ｍｍ以下、より好ましくは３ｍｍ以下である。
先端突起１５ｂの前記高さｈ７は、第１の錐体状突起１５の前記高さｈ５に対して、好ましくは５０％以下、より好ましくは３０％以下であり、また、好ましくは３％以上、より好ましくは５％以上である。
【００３３】
また、毛穴洗浄用毛束１５ｃは、円錐台状の基部１５ａの先端からの高さｈ８が、好ましくは０．５ｍｍ以上、より好ましくは１ｍｍ以上であり、また好ましくは５ｍｍ以下、より好ましくは３ｍｍ以下である。
毛穴洗浄用毛束１５ｃの前記高さｈ８は、第１の錐体状突起１５の前記高さｈ５に対して、好ましくは５０％以下、より好ましくは３０％以下であり、また、好ましくは３％以上、より好ましくは５％以上である。
錐体状突起１５の前記高さｈ５は、ブラシ面１３から先端突起１５ｂの先端までの高さと、ブラシ面１３から毛穴洗浄用毛束１５ｃの先端までの高さのうち高い方の高さである。ブラシ面１３から先端突起１５ｂの先端までの高さと、ブラシ面１３から毛穴洗浄用毛束１５ｃの先端までの高さは、同じでも異なっていても良く、何れが高い場合であっても両者の差は、好ましくは１．５ｍｍ以内、より好ましくは０．５ｍｍ以内である。
外周毛束１５ｃ”は、複数個設けられていることが好ましく、好ましくは２〜１０個であり、より好ましくは３〜１０個、更に好ましくは４〜１０個である。
また、先端突起１５ｂの数は、複数であることが好ましく、環状に並べて形成された先端突起１５ｂの数は、好ましくは３〜１０個であり、更に好ましくは４〜１０個である。
【００３４】
本実施形態のブラシ１０のブラシ面１３には、該ブラシ面１３に描いた複数の平行な仮想の直線Ｙ−Ｙ（本実施形態では楕円形状のブラシ面１３の短軸方向と平行な方向に延設する５本の線、図２参照）によって、複数の突起列Ｒ１〜Ｒ６に分割された状態に、へら状突起１４、第１の錐体状突起１５及び第２の錐体状突起１６が配置されている。そして、５本の線よって分割された６本の突起列Ｒ１〜Ｒ６のうち、両端部分の列を除いた４本の突起列Ｒ２〜Ｒ５には、３個のへら状突起１４と第１又は第２の２個の錐体状突起１５，１６とが交互に配置されている。
【００３５】
また、突起列Ｒ２〜Ｒ５においては、複数個のへら状突起１４とへら状突起間に配置された第１又は第２の錐体状突起１５，１６とが、へら状突起１４の横断面形状の長軸方向（Ｘ方向）と平行な方向にほぼ直列した状態に配置されており、そのような突起列が、該列に直交する方向（ブラシ面１３の長軸方向に沿う方向）に複数列形成されている。隣接する突起列間には、Ｙ−Ｙ線に沿って延びる、突起が配置されていない７〜１５ｍｍの幅の帯状間隔領域（図示せず）が形成されている。このような配置によって、突起１４〜１６の根本部分に対する毛髪の付着やからみ付きを効果的に回避ないし軽減することができると共に、突起列に沿って指をスライドさせたり、シャワーの流水を流すことにより、該根本部分に毛髪が付着したりからみ付いたりしても容易に除去することが可能となる。
【００３６】
上述のような構成を備える本実施形態の毛穴洗浄用ブラシ１０を使用する際には、例えば把持部１１を指の間に挟み込み、ブラシ面１３とは反対側の基台１２の上面に手の平を密着させて、当該上面を覆うようにしてブラシ１０を把持し、ブラシ面１３から突出する複数のへら状突起１４等を頭皮に押し当てた状態でブラシ１０を動かし、必要に応じて洗浄剤、ヘアケア剤、化粧料等を頭皮や毛髪に塗布しつつ、洗髪や毛髪の手入れを行う。
【００３７】
本実施形態の毛穴洗浄用ブラシ１０においては、へら状突起１４及び第１の錐体状突起１５の毛穴洗浄用毛束１４ｃ，１５ｃは、それぞれ、ブラシ面１３からではなく、ブラシ面１３から突出する基部１４ａ，１５ａから更に突出しているため、毛穴洗浄用毛束１４ｃ，１５ｃが容易に頭皮の毛穴に到達するとともに、ブラシ面から突出する場合に比べて、毛穴洗浄用毛束１４ｃ，１５ｃを、より強い力で毛穴に接触させることができる。また、頭皮の到達した毛穴洗浄用毛束１４ｃ，１５ｃは、その直径Ｌ１が小さいことによって先端が毛穴に入り易い。
これにより、本実施形態の毛穴洗浄用ブラシ１０によれば、優れた毛穴洗浄機能が発揮される。また、毛穴洗浄用毛束１４ｃ，１５ｃを、基部１４ａ，１５ａから突出しているため、それらの毛束に髪の毛が絡み付きにくい上に、毛穴洗浄用毛束１４ｃ，１５ｃに抜け毛が絡みついても、その抜け毛を指で容易に取り除くこともできる。特に、毛髪の量が多い場合や毛髪が長い場合にも有効である。
【００３８】
しかも、本実施形態の毛穴洗浄用ブラシ１０においては、毛穴洗浄用毛束１４ｃ，１５ｃが、エラストマーで構成された先端突起１４ｂ，１５ｂと共に設けられており、先端突起１４ｂ，１５ｂによって髪の毛を掻き分けつつ、毛穴に毛穴洗浄用毛束１４ｃ，１５ｃを挿入させることができる。また、先端突起１４ｂ，１５ｂによってマッサージ効果も得られる。これにより、毛穴洗浄効果に一層優れている。
【００３９】
また、本実施形態におけるへら状突起１４は、先端突起１４ｂを複数有し、毛穴洗浄用毛束１４ｃが先端突起１４ｂ，１４ｂ間に存在する。そのため、ブラシ１０を往復に動かしたとき、どちらの方向に移動している間においても、先端突起１４ｂによって髪の毛が掻き分けられ、穴洗浄用毛束１４ｃが倒れにくい。そのため、毛穴洗浄用毛束１４ｃが、頭皮（皮膚）の毛穴に一層確実に到達し、優れた毛穴洗浄機能が発揮される。
へら状突起１４の、先端突起１４ｂによる毛の掻き分け効果及び毛穴洗浄用毛束１４ｃの倒れ防止効果は、毛穴洗浄用ブラシ１０を、へら状突起の扁平な基部１４ａの長軸方向（Ｘ方向）に往復させた場合に、一層顕著に発現される。
【００４０】
また、第１の錐体状突起１５も、先端突起１５ｂを複数有し、毛穴洗浄用毛束１５ｃ（特に外周毛束１５ｃ”）も先端突起１５ｂ，１５ｂ間に存在する。そのため、ブラシ１０をいろいろな方向に動かしても、先端突起１５ｂによって髪の毛が掻き分けられ、毛穴洗浄用毛束１５ｃが倒れにくい。そのため、毛穴洗浄用毛束１５ｃが、頭皮（皮膚）の毛穴に一層確実に到達し、優れた毛穴洗浄機能が発揮される。
なお、へら状突起１４と第１の錐体状突起１５とを比較すると、基部１４ａが扁平な横断面形状を有するへら状突起１４の方が、毛穴に毛先が入り易いように髪の毛を掻き分ける効果が高く、更に、先端突起１４ｂ及び毛穴洗浄用毛束１４ｃが、扁平な横断面形状の長軸方向に並べて形成されていると一層、毛穴に毛先が入り易いように髪の毛を掻き分ける効果が高くなる。
【００４１】
また、本実施形態の毛穴洗浄用ブラシ１０は、毛穴洗浄用ブラシ１０を頭皮Ｓに軽く当てたときには、へら状突起１４における先端突起１４ｂ及び毛穴洗浄用毛束１４ｃのみが頭皮Ｓに当たり、より強く頭皮に押し付けることによって、第１の錐体状突起１５の先端突起１５ｂが頭皮に当たり、更に強く押し付けることによって、第２の錐体状突起１６の先端部分が頭皮に当るように設計することも好ましい。それにより、押し付ける力を調節することで、マッサージ効果の強弱をコントロールしつつ、毛穴の洗浄を行うこともできる。
【００４２】
また、本実施形態におけるへら状突起１４の毛穴洗浄用毛束１４ｃ及び第１の錐体状突起１５の毛穴洗浄用毛束１５ｃは、それぞれ、基部１４ａ，１５ａ内に一部を配したブリッスル束１４ｔ、１５ｔにおける、該基部１４ａ，１５ａの先端から突出する部分からなる。そのため、基部１４ａ，１５ａ上において毛穴洗浄用毛束１４ｃ，１５ｃが倒れたり、脱離したりすることが防止される。
【００４３】
本実施形態の毛穴洗浄用ブラシ１０においては、図４に示すように、毛穴洗浄用毛束１４ｃ，１５ｃを形成するブリッスル束１４ｔ、１５ｔが、突起の基部１４ａ，１５ａを、各基部の高さ方向に貫通しており、毛穴洗浄用毛束１４ｃ，１５ｃを形成する先端側とは反対側の端部Ｅが、基台１２におけるブラシ面１３より内側に固定されている。そのため、マッサージなどの強い力で、へら状突起１４や錐体状突起１５が屈曲変形した場合においても、端部Ｅ側の固定状態が安定に維持され、毛穴洗浄用毛束１４ｃ，１５ｃの優れた毛穴洗浄機能が確実に発揮される。また、毛穴洗浄用毛束１４ｃ，１５ｃに絡まった抜け毛を取り除くときにも毛穴洗浄用毛束１４ｃ，１５ｃが抜けにくい。
【００４４】
本実施形態の毛穴洗浄用ブラシ１０の好ましい製造方法においては、まず、エラストマー成形体１９を、射出成形、プレス成形等により製造する。図８（ａ）及び図４に示すように、エラストマー成形体１９は、へら状突起１４の基部１４ａを高さ方向に貫通する貫通孔１４ｓ及び第１の錐体状突起１５の基部１５ａを高さ方向に貫通する貫通孔１５ｓを有しており、そのエラストマー成形体１９の貫通孔１４ｓ，１５ｓにブリッスル束１４ｔ，１５ｔを挿入する。そして、挿入したブリッスル束１４ｔ，１５ｔの、毛穴洗浄用毛束１４ｃ，１５ｃを形成する先端側とは反対側の、貫通孔１４ｓ，１５ｓから突出する部分を加熱して、溶融塊を形成させ、その溶融塊をエラストマー成形体１９の底盤部１９ａの裏面側に融着させる。ブリッスル束１４ｔ，１５ｔを溶融させる熱源としては、接触式の熱源を用いても良いし、レーザービーム等の非接触熱源を用いても良い。
【００４５】
本実施形態の毛穴洗浄用ブラシ１０において、毛穴洗浄用毛束１４ｃ，１５ｃを形成するブリッスル束のブリッスルは合成樹脂からなる。ブリッスルを構成する合成樹脂としては、例えば、歯ブラシのブリッスルに従来使用されているものを用いることができ、例えば、ナイロン（登録商標）、ナイロン６等のポリアミド、ポリブチレンテレフタレート、ポリエチレンテレフタレート等のポリエステル、ポリオレフィン等が挙げられる。また、ブリッスル束のブリッスルとして、豚毛等の動物の毛等を用いることもできる。
【００４６】
このように、ブリッスル束の、毛穴洗浄用毛束を形成する先端側とは反対側の端部Ｅを、エラストマー成形体の底盤部１９ａの他面側に融着により固定ことによって、毛穴洗浄用ブラシ１０を頭皮Ｓに強く押し付けて毛穴の洗浄を行っても、毛穴洗浄用毛束１４ｃ，１５ｃがずれたり、抜けたりせずに、優れた毛穴洗浄機能が発揮される。また、毛穴洗浄用毛束１４ｃ，１５ｃに絡まった抜け毛を取り除くときに、毛穴洗浄用毛束１４ｃ，１５ｃが一層抜けにくい。
毛穴洗浄用毛束１４ｃ，１５ｃは、エラストマー成形体の底盤部１９ａの前記他面側に加えて、底盤部１９ａ内に位置する貫通孔１４ｓ，１５ｓの内部にも融着されていても良い。貫通孔１４ｓ，１５ｓの内部にも融着されていると、毛穴洗浄用毛束１４ｃ，１５ｃのずれや抜けが一層確実に防止される。
【００４７】
また本実施形態の毛穴洗浄用ブラシ１０は、ブラシ面１３の中央部分（ブラシ面１３の長軸方向及び短軸方向の中央部分）に、複数のへら状突起１４が間隔を置いて直列状に配置された中央突起群１４Ｒを有し、該中央突起群の両側それぞれに第１又は第２の錐体状突起１５，１６が間隔を置いて直列状に配置された第１サイド突起群１５Ｒを有し、更にその外側に、複数のへら状突起１４が間隔を置いて直列状に配置された第２サイド突起群１４Ｒ’を有している。各突起群間には、突起が配置されていない幅２〜５ｍｍの帯状間隔領域が、楕円形状のブラシ面１３の長軸方向に沿って延びている。これにより、突起に髪の毛に絡んだり引っ掛かったりすることが一層防止されると共に、シャワーの流水等による毛髪等の洗い流しも一層良好となる。
【００４８】
次に第２及び第３実施形態の毛穴洗浄用ブラシについて、図９及び図１０を参照して説明する。第２及び第３実施形態の毛穴洗浄用ブラシについては、第１実施形態と異なる点について説明し、同様の点について説明を省略する。
第２実施形態の毛穴洗浄用ブラシは、ブラシ面１３に、毛束付突起として、図９（ｂ）に示す錐体状突起３１を備え、また、エラストマーで構成されたが毛束を有しない突起として、先端部分が凸曲面状とされた大小２種類の円柱又は円錐状の突起３２，３３と、図９（ｃ）に示す錐体状突起３４とを備えている。
錐体状突起３１は、円柱又は円錐台状の基部３１ａを有し、突起３１の先端部分に、４つの先端突起３１ｂと１つの毛穴洗浄用毛束３１ｃとを有している。錐体状突起３４は、円柱又は円錐台状の基部３４ａを有し、突起３４の先端部分に、それぞれ半球状の、１つの中央先端突起３４ｂと６つの外周先端突起３４ｃとを備えている。
【００４９】
第３実施形態の毛穴洗浄用ブラシは、ブラシ面１３に、毛束付突起として、図１０（ｂ）に示す錐体状突起４１を備え、また、エラストマーで構成されているが毛束を有しない突起として、横断面長円形状の錐体状の突起４２と、図１０（ｃ）に示す錐体状突起４３とを備えている。錐体状突起４１は、円柱又は円錐台状の基部４１ａを有し、突起４１の先端部分に、３つの先端突起４１ｂと１つの毛穴洗浄用毛束４１ｃとを有している。錐体状突起４３は、円柱又は円錐台状の基部４３ａを有し、突起４３の先端部分に、それぞれ半球状の、１つの中央先端突起４３ｂと６つの外周先端突起４３ｃとを備えている。
第３実施形態の毛穴洗浄用ブラシの基台４５は、湾曲板状部４６と、湾曲板状部４６の片面に取り付けられたプラスティック製の把持部(図示せず)とからなる。湾曲板状部４６は、第１実施形態のエラストマー成形体１９と同様の構成を有するエラストマー成形体の底盤部４７ａからなり、片面が凹曲面状のブラシ面１３を形成し、もう一方の片面が凸曲面をなしている。ブラシ面１３には、底盤部４７ａと一体成形された複数の突起形成部が突出し、それらの突起形成部が、錐体状突起４１の円錐台状の基部４１ａ、錐体状突起４４の基部４３ａ及び突起４３の全体を形成している。また、錐体状突起４１の先端突起４１ｂは、基部４１ａと一体成形されており、錐体状突起４３の先端突起４３ｂ，４３ｃは、基部４３ａと一体成形されている。なお、把持部は、第１実施形態の把持部と同様に指で挟むものであっても良いし、Ｌ字型に屈曲した棒状の把持部であっても良い。
【００５０】
第２及び第３実施形態の毛穴洗浄用ブラシも、毛束付突起３１，４１を備えているため、第１実施形態の毛穴洗浄用ブラシと同様の効果が奏される。
【００５１】
なお、本発明は上記実施形態に限定されることなく種々の変更が可能である。
例えば、第１実施形態の毛穴洗浄用ブラシは、ブラシ面に、毛束付突起として、へら状突起１４及び第１の錐体状突起１５を有するものであったが、これに代えて、ブラシ面に、へら状突起１４のみ又は第１の錐体状突起１５のみが形成されていても良い。また、へら状突起１４の配置は多様に変形可能であり、例えば、ブラシ面１３の長軸方向に直列した複数のへら状突起１４からなる列が、１本のみ形成されていても良いし、ブラシ面１３の短軸方向に直列した複数のへら状突起１４からなる列が、１本のみ形成されていても良い。また、ブラシ面１３の全域に亘って、へら状突起１４と第１の錐体状突起１５とが千鳥状に配置されていても良い。
【００５２】
また、第１実施形態の毛穴洗浄用ブラシにおけるへら状突起１４の一部を、へら状の基部及び先端突起を有する一方、毛束を有しない突起に置換しても良い。
また、へら状突起１４は、エラストマーで構成された先端突起１４ｂと毛穴洗浄用毛束１４ｃとをそれぞれ１個のみ有するものであっても良く、エラストマーで構成された先端突起１４ｂとそれらの間に位置する１つの毛穴洗浄用毛束１４ｃのみを有するものであっても良い。また、へら状突起１４及び第１の錐体状突起１５は、それぞれ、一つ又は２以上の毛穴洗浄用毛束１４ｃ，１５ｃのみを有するものであっても良い。
【００５３】
また、第２の錐体状突起１６は無くしても良いし、第２の錐体状突起１６の先端部分からブリッスル束の一部を突出させて毛穴洗浄用毛束を有する突起としても良い。
【００５４】
また、へら状突起１４は、基部１４ａが楕円の横断面形状の他、長円や矩形等のその他の扁平な横断面形状を有するものであっても良く、第１及び第２の錐体状突起は、それぞれ、略円錐形状の他、角錐形状等であっても良い。さらに、へら状突起１４及び第１の錐体状突起１５の先端突起は、円錐形状以外のその他の形状のものであって良い。
【００５５】
また、第１の錐体状突起１５は、中央毛束１５ｃ’のみを有するものであっても良いし、外周毛束１５ｃ”のみを有するものであっても良い。また錐体状突起１５として、基部１５ａが円錐台状のものに代えて、基部１５ａが角錐台状のものや、基部１５ａの横断面形状が楕円形のもの等を設けても良い。角錐台状の基部１５ａとしては、横断面形状が三角、四角、五角形、菱形等の多角形状のものが挙げられる。
また、本発明の毛穴洗浄用ブラシは、基台１２から突出する把持部１１を有しないものであっても良いし、環状の挿入部に手を挿入して手に装着可能なもの等であっても良い。
【００５６】
また、上述した一の実施形態における説明省略部分及び一の実施形態のみが有する要件は、それぞれ他の実施形態に適宜適用することができ、また、各実施形態における要件は、適宜、実施形態間で相互に置換可能である。
本発明の毛穴洗浄用ブラシは、頭部以外の毛穴に使用しても良く、また、ペットや家畜等の身体や体毛のケア用に用いることもできる。
【符号の説明】
【００５７】
１０  毛穴洗浄用ブラシ
１１  把持部
１２  基台
１３  ブラシ面
１４  へら状突起（毛束付突起）
１４ａ  基部
１４ｂ  先端突起
１４ｃ  毛穴洗浄用毛束
１４ｔ  ブリッスル束
１５  第１の錐体状突起（毛束付突起）
１５ａ  基部
１５ｂ  先端突起
１５ｃ  毛穴洗浄用毛束
１５ｃ’  中央毛束
１５ｃ”  外周毛束
１５ｔ  ブリッスル束
１６  第２の錐体状突起
１７  基台本体
１８  基板
１９  エラストマー成形体
１９ａ  エラストマー成形体の底盤部
【図１】
0006423630.tif 000002
【図２】
0006423630.tif 000003
【図３】
0006423630.tif 000004
【図４】
0006423630.tif 000005
【図５】
0006423630.tif 000006
【図６】
0006423630.tif 000007
【図７】
0006423630.tif 000008
【図８】
0006423630.tif 000009
【図９】
0006423630.tif 000010
【図１０】
0006423630.tif 000011